(57)【要約】無線中継局の接続関係終止の方法であって、無線伝送ネットワークグループを含むシステムに用いられ、無線伝送ネットワークグループ毎は、１つの基地局及びそれに所属する無線中継局からなり、当該方法は、（ａ）ある無線中継局ＲＳ１は、ある無線伝送ネットワークグループに既に接続され、当該グループの基地局、或いはＲＳ１の位置する伝送サブ網における代理ノードとしてのＲＳは、ＲＳ１の接続関係の終止が必要であると判断し、（ｂ）当該基地局、或いは代理ノードとしてのＲＳは、接続終止メッセージをＲＳ１に下し、ＲＳ１のリソースをリリースし、（ｃ）ＲＳ１は、接続終止指示を受信した後、リソースをリリースし、無線伝送ネットワークとの接続を終止するステップを含む。本発明によれば、無線中継局の接続関係の終止を実現することができると共に、終止の前に、当該無線中継局に付けられる端末とＲＳを他の基地局或いは無線中継局に切り替えることを、措置によりさらに確保することができる。
2010524367.tif 000002
【特許請求の範囲】
【請求項１】
無線中継局の接続関係終止の方法であって、無線伝送ネットワークグループを含むシステムに用いられ、無線伝送ネットワークグループ毎は、１つの基地局及びそれに所属する無線中継局からなり、当該方法は、
（ａ）ある無線中継局ＲＳ１は、ある無線伝送ネットワークグループに既に接続され、当該グループの基地局、或いはＲＳ１の位置する伝送サブ網における代理ノードとしてのＲＳは、ＲＳ１の接続関係の終止が必要であると判断し、
（ｂ）前記基地局、或いは代理ノードとしてのＲＳは、接続終止メッセージをＲＳ１に下し、ＲＳ１のリソースをリリースし、
（ｃ）ＲＳ１は、接続終止指示を受信した後、リソースをリリースし、無線伝送ネットワークとの接続を終止するステップを含む。
【請求項２】
ステップ（ａ）において、前記基地局、或いは代理ノードとしてのＲＳにより、現在の状況及び対応する方針に基づき、ＲＳ１の接続の終止が必要であると判断し、或いは、ＲＳ１により、自身の状況及び対応する方針に基づき、無線伝送ネットワークとの接続の終止が必要であると判断し、接続終止リクエストを基地局、或いは代理ノードとしてのＲＳに送信し、基地局、或いは代理ノードとしてのＲＳは、リクエストを受信した後、ＲＳ１の接続が終止できると判断する場合、次のステップを行い、そうでなければ、当該リクエストを拒否することを特徴とする請求項１に記載の方法。
【請求項３】
ステップ（ａ）とステップ（ｂ）との間に、
（ａ１）基地局、或いは代理ノードとしてのＲＳは、ＲＳ１にはデータ伝送があるかどうかを判断し、ＲＳ１にはデータ伝送がある場合、次のステップを行い、そうでなければ、ステップ（ｂ）を行い、
（ａ２）基地局、或いは代理ノードとしてのＲＳは、記憶された情報及び設定された対応する方針に基づき、ＲＳ１に付けられる全部或いは一部の、データ伝送があるＲＳと端末のために、切替先となる目標ノードを選択し、
（ａ３）基地局、或いは代理ノードとしてのＲＳは、ＲＳ１に付けられる、データ伝送がある端末及びＲＳのために、これらの目標ノードへのデータチャンネルを設立し、当該データチャンネルで対応するダウンリンクデータを送信してから、目標ノードに接続更新するようにこれらの端末及びＲＳを指示するステップをさらに含むことを特徴とする請求項１に記載の方法。
【請求項４】
ステップ（ａ２）で目標ノードを選択した後、基地局、或いは代理ノードとしてのＲＳは、切替リクエストをこれらの目標ノードにさらに送信し、ステップ（ａ３）で目標ノードが切替を許可する応答を獲得した後、前記目標ノードへのデータチャンネルを設立することを特徴とする請求項３に記載の方法。
【請求項５】
ステップ（ａ３）において、ＲＳ１に付けられる、データ伝送がある端末及びＲＳのために、データチャンネルを設立する時に、これにおける１ジャンプ目のＲＳ、及びＲＳ１に直接に接続される端末のみに対し、データチャンネルを設立し、１ジャンプ目のＲＳに接続される他のＲＳ及び他の端末に対し、１ジャンプ目のＲＳと共に移動することを特徴とする請求項３に記載の方法。
【請求項６】
ステップ（ａ３）において、前記目標ノードは、他の１つの無線伝送ネットワークグループに所属する場合、以下の方式のうちの１つに従い、前記目標ノードへのデータチャンネルを設立し、
第一種：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳであり、
第二種：目標ノードは他の１つの基地局である場合は、ネットワーク側データノード→目標基地局であり、或いは、目標ノードは他の１つの基地局に付けられるＲＳである場合は、ネットワーク側データノード→目標ＲＳの所属する基地局→目標ＲＳであり、
第三種：ネットワーク側データノード→ＲＳ１の切替の前にアクセスしたＢＳ→ＲＳ１の切替の前にアクセスしたＲＳ→目標ＲＳ或いは目標ＢＳであることを特徴とする請求項３に記載の方法。
【請求項７】
ステップ（ａ３）において、前記目標ノードは、同一の無線伝送ネットワークグループに所属する場合、以下の方式のうちの１つに従い、前記目標ノードへのデータチャンネルを設立し、
第一種：ネットワーク側データノード→ＲＳ１の位置する基地局→目標ＲＳであり、
第二種：ネットワーク側データノード→ＲＳ１の切替の前にアクセスしたＲＳ→目標ＲＳであることを特徴とする請求項３に記載の方法。
【請求項８】
ステップ（ａ）において、基地局、或いは代理ノードとしてのＲＳは目標ノードを選択する時に基づく記憶情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、ＲＳ１により計測された隣接セル情報のうちの１種或いは多種を含むことを特徴とする請求項３に記載の方法。
【請求項９】
ステップ（ｂ）において、接続終止メッセージをＲＳ１に下す前に、ＲＳ１にはデータ伝送がある場合、ＲＳ１の切替前に所属する基地局あるいは所属する伝送サブ網における代理ノードとしてのＲＳ或いはネットワーク側は、ＲＳ１に付けられる、データ伝送がある全部或いは一部のＲＳ及び端末の属性を、目標ノードの所属するＢＳ、或いは所属する伝送サブ網における代理ノードとしてのＲＳへ送信し、これらのＲＳと端末のアクセスの時のために使用され、前記一部のＲＳ及び端末とは、ＲＳ１に付けられる１ジャンプ目のＲＳ及び直接に接続される端末であることを特徴とする請求項１〜３のいずれか１つに記載の方法。
【請求項１０】
無線中継局或いは端末は、予め、可能な隣接基地局或いは隣接無線中継局と同期して、これらの同期情報を記憶し、ステップ（ａ３）において、前記付けられた無線中継局及び端末は、接続更新の指示を受信した後、自身の記憶した隣接基地局及び隣接無線中継局の同期情報から、指示された目標ノードの同期情報を探し出し、目標ノードと同期して無線ネットワーク接続を設立することを特徴とする請求項３に記載の方法。
【請求項１１】
ステップ（ｂ）で送信された接続終止指示には接続終止の時間を含み、基地局とＲＳ１と共に、当該時間に到達した時から、リソースをリリースすることを特徴とする請求項１〜３のいずれか１つに記載の方法。
【請求項１２】
前記管理ノードは基地局であることを特徴とする請求項１〜３のいずれか１つに記載の自適応管理方法。
【請求項１３】
無線中継局の間のリンクに異常がある場合、以下の方式のうちの１つに従い、接続関係の終止を完成し、
Ａ：基地局とリンクを保つＲＳは、接続終止リクエストを基地局に送信し、リクエストには、接続終止の必要な対向端ＲＳ及び終止をリクエストした原因が指示され、基地局は、当該リクエストを受信した後、グループ内の無線ネットワークトポロジー情報を更新し、基地局は管理ノードではない場合、管理ノードにさらに報告する必要があり、管理ノードはグループ内の無線ネットワークトポロジー情報を更新し、
Ｂ：基地局とリンクを保つＲＳは、接続終止リクエストを、所属する伝送サブ網における代理ノードとしてのＲＳに送信し、リクエストには、接続終止の必要な対向端ＲＳ及び終止をリクエストした原因が指示され、代理ノードとしてのＲＳは、当該リクエストを受信した後、伝送サブ網の無線ネットワークトポロジー情報を更新して、管理ノードに報告し、管理ノードは報告を受信した後、グループ内の無線ネットワークトポロジー情報を更新し、
Ｃ：基地局とリンクを保つＲＳは代理ノードである場合、当該ＲＳは、伝送サブ網の無線ネットワークトポロジー情報を更新して、管理ノードに報告し、管理ノードは報告を受信した後、グループ内の無線ネットワークトポロジー情報を更新し、
基地局と無線中継局との間のリンクに異常がある場合、基地局は、当該無線中継局と無線伝送ネットワークとの接続が終止すると認定し、グループ内の無線ネットワークトポロジー情報を直接に更新し、当該無線中継局は、他の基地局或いは無線中継局に切り替えるように、付けられる全ての無線中継局及び端末に通知することを特徴とする請求項１〜３のいずれか１つに記載の方法。
【請求項１４】
リンク異常を起因として接続を終止したＲＳは、既存の方針に基づき、無線接続ネットワークグループに加入する過程を再起動し、或いは、発信パワーを消し、システムメンテナンスを待つすることを特徴とする請求項１〜３のいずれか１つに記載の方法。
【請求項１５】
前記無線伝送ネットワークグループにおける管理ノードは、本グループのトポロジー関係情報を記憶し、ステップ（ｂ）で前記管理ノードは接続終止メッセージを下した後、グループ内の無線ネットワークトポロジー情報を更新し、
或いは、前記無線伝送ネットワークグループにおける管理ノードは、本グループのトポロジー関係情報を記憶し、代理ノードは、本伝送サブ網の無線ネットワークトポロジー情報を記憶し、ステップ（ｂ）で代理ノードは接続終止メッセージを下した後、本伝送サブ網の無線ネットワークトポロジー情報を更新して、管理ノードに報告し、管理ノードは、報告を受信した後、グループ内の無線ネットワークトポロジー情報を更新するすることを特徴とする請求項１〜３のいずれか１つに記載の方法。
【発明の詳細な説明】
【技術分野】
【０００１】
本発明は、無線伝送ネットワークに関し、特に、基地局と無線中継局とを含む無線伝送ネットワークにおける無線中継局の接続関係終止の方法に関する。
【背景技術】
【０００２】
現在、複数の種類の無線通信システムが存在し、これらのシステムの１つの共通点は、局の設立が複雑であり、基地局は有線のサポートが必要であり、基地局のカバーは相対的に固定であることにある。無線通信環境の複雑性、例えば伝送経路における建物の遮蔽や、基地局とユーザの受信アンテナ及び発信アンテナとの間には障害物があることなどを起因として、ユーザは基地局のサービスの盲点に位置する。そして、ユーザは、基地局のカバーするセルに位置するが、基地局との間には通常の通信を維持することができず、ユーザの通信品質の著しい降下が起こり、ひいては、ユーザはシステムにアクセスすることすらできない。セルのエッジに位置するユーザにとって、信号は長い経路の伝送を経由するため、信号の減衰が酷く、ユーザと基地局との間における通信品質とサービス品質に悪い影響を与える。例えば、セルのエッジに位置するユーザは基地局の信号を通常に受信することを確保するために、低いレベルの符号化変調方式しか利用することができず、そして、ユーザのデータレートを降下させた。ユーザのデータレートを確保するために高いレベルの符号化変調方式を利用する場合、基地局とユーザとの発信パワーを増加する必要があり、セルにおける他のユーザ及び隣接のセルのユーザには干渉を与える。また、アプリケーションの発展に従い、これらの無線アクセスシステムは、ランダム突発の無線アクセス要求、及び有線の届かないエリアのカバーを適切に実現することができない。
【０００３】
従って、基地局サービスエリアのカバーを広げること、及びセルのエッジのユーザのサービス品質を改善することのために、現在、複数の種類の中継システムが既に存在し、即ち、中継局により基地局とユーザとの間における通信を完成する。
【０００４】
比較的に早く開発された中継システムはアナログ中継システムである。中継局は、信号を受信した後、デジタル部分の処理を行わず、受信された信号に対するアナログ増幅のみを行い、そして、ユーザ或いは基地局或いは次の中継局に送信する。この中継方法は簡単であるが、明らかな欠点があり、有効な信号のほか、中継局の受信したバンド内の干渉信号も増幅されて、送信経路に伝送し続ける。そして、中継局を経由した後、有用信号の信頼性が降下する。
【０００５】
技術の発展に従い、デジタル中継システムは進化しつつある。当該システムは、受信された信号に対し、復調復号を行い、ソース信号を復元して、一定の記憶と処理を行ってから、符号化変調して、ユーザ或いは基地局或いは次の中継局に送信することができる。この中継方法は、アナログ信号のノイズ伝送を防ぎ、伝送の信頼性を向上させた。
【０００６】
一般的には、無線システムが高いレートの無線データ伝送のために提供したのは、ポイントから複数のポイントまでのネットワークトポロジー構成である。当該無線システムにおける基地局のサービス受信不良域及びセルのエッジのユーザの通信品質の問題を解決するために、無線中継局という概念は無線ネットワークに導入されたが、無線中継局自身には固定性、ノーマディック（roaming）性及び移動性を有し、無線ネットワーク全体のダイナミックな構築及び調整等の管理に対して新しい挑戦を与えた。
【０００７】
しかしながら、このような無線中継局の導入は、無線ネットワークの管理を非常に複雑にさせた。従来の中継局の設立や、メンテナンス、最適化などは人工で行うものであり、実際の応用においては手間が非常にかかる。デジタル中継局は、ベースバンドの処理を自力で行うことができ、ある程度の制御及びリソーススゲジューリング機能を有し、また、アクセスする基地局或いは無線中継局を選択することもできる。これらの特徴は、無線中継局の自配置及び自最適化のために基礎を与えた。
【０００８】
有線ＩＰネットワークにおいて、ルートテーブルは、ルートゲートウェイによる最適経路の選択をサポートし、ルートを最適化することができ、ルートゲートウェイは、ルートテーブルをダイナミックに保守することが必要である。しかし、このような方式は無線伝送ネットワークには適用することができない。主に、以下の原因がある。
【０００９】
無線伝送ネットワークの各ノードは、無線環境に状況があることに起因として、無線リンクの更新が起こることが可能である。これは、有線ネットワークにおける固定な接続とは異なる。
【００１０】
無線伝送ネットワークにおける無線リンクの信頼性は有線ネットワークとは異なる。
【００１１】
無線伝送ネットワークにおけるリンク毎は無線リソースを占めることが必要であり、無線リンクは設立されると、既に無線リソースを占めることになる。
【００１２】
前述の問題に基づき、無線伝送ネットワークにおいて無線中継局の自配置や自最適化をどう行うことには、解決案を考え直すことが必要である。
【００１３】
また、このような無線伝送ネットワークに対し、無線中継局は、無線伝送ネットワークグループへの加入をどのように実現するか、接続関係の更新をどのように実現するか、接続関係の終止をどのように実現するか等の問題に関し、従来の技術において、適切な解決案は未だに提案されていない。
【発明の概要】
【発明が解決しようとする課題】
【００１４】
本発明が解決しようとする技術課題は、無線中継局の接続関係終止の方法を提供することである。
【課題を解決するための手段】
【００１５】
前記の技術課題を解決するために、本発明は、無線中継局の接続関係終止の方法を提供し、無線伝送ネットワークグループを含むシステムに用いられ、無線伝送ネットワークグループ毎は、１つの基地局及びそれに所属する無線中継局からなり、当該方法は、
（ａ）ある無線中継局ＲＳ１（ここで、「ＲＳ１」は説明の便利のために利用される符号のみであり、特定の無線中継局に限定することではない）は、ある無線伝送ネットワークグループに既に接続され、当該グループの基地局、或いはＲＳ１の位置する伝送サブ網における代理ノードとしてのＲＳは、ＲＳ１の接続関係の終止が必要であると判断し、
（ｂ）前記基地局、或いは代理ノードとしてのＲＳは、接続終止メッセージをＲＳ１に下し、ＲＳ１のリソースをリリースし、
（ｃ）ＲＳ１は、接続終止指示を受信した後、リソースをリリースし、無線伝送ネットワークとの接続を終止するステップを含む。
【００１６】
さらに、前記方法では、
ステップ（ａ）において、前記基地局、或いは代理ノードとしてのＲＳにより、現在の状況及び対応な方針に基づき、ＲＳ１の接続の終止が必要であると判断し、或いは、ＲＳ１により、自身の状況及び対応する方針に基づき、無線伝送ネットワークとの接続の終止が必要であると判断し、接続終止リクエストを基地局、或いは代理ノードとしてのＲＳに送信し、基地局、或いは代理ノードとしてのＲＳは、リクエストを受信した後、ＲＳ１の接続の終止が可能であると判断する場合、次のステップを行い、そうでなければ、当該リクエストを拒否することをさらに備えてもよい。
【００１７】
さらに、前記方法では、ステップ（ａ）とステップ（ｂ）との間に、
（ａ１）基地局、或いは代理ノードとしてのＲＳは、ＲＳ１にはデータ伝送があるかどうかを判断し、ＲＳ１にはデータ伝送がある場合、次のステップを行い、そうでなければ、ステップ（ｂ）を行い、
（ａ２）基地局、或いは代理ノードとしてのＲＳは、記憶された情報及び設定された対応する方針に基づき、ＲＳ１に付けられる全部或いは一部の、データ伝送があるＲＳと端末のために、切替先となる目標ノードを選択し、
（ａ３）基地局、或いは代理ノードとしてのＲＳは、ＲＳ１に付けられる、データ伝送がある端末及びＲＳのために、これらの目標ノードへのデータチャンネルを設立して、当該データチャンネルで対応するダウンリンクデータを送信してから、目標ノードに接続更新するようにこれらの端末及びＲＳを指示するステップを含むことをさらに備えてもよい。
【００１８】
さらに、前記方法では、
ステップ（ａ２）で目標ノードを選択した後、基地局、或いは代理ノードとしてのＲＳは、切替リクエストをこれらの目標ノードにさらに送信し、ステップ（ａ３）で目標ノードが切替を許可するという応答を獲得した後、前記目標ノードへのデータチャンネルを設立することをさらに備えてもよい。
【００１９】
さらに、前記方法では、
ステップ（ａ３）において、ＲＳ１に付けられる、データ伝送がある端末及びＲＳのために、データチャンネルを設立する時に、これにおける１ジャンプ目（the first hop）のＲＳ、及びＲＳ１に直接に接続される端末のみに対し、データチャンネルを設立し、１ジャンプ目のＲＳに接続される他のＲＳ及び他の端末に対し、１ジャンプ目のＲＳと共に移動することをさらに備えてもよい。
【００２０】
さらに、前記方法では、
ステップ（ａ３）において、前記目標ノードは、他の１つの無線伝送ネットワークグループに所属する場合、以下の方式のうちの１つに従い、前記目標ノードへのデータチャンネルを設立し、
第一種：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳであり、
第二種：目標ノードは他の１つの基地局である場合は、ネットワーク側データノード→目標基地局であり、或いは、目標ノードは他の１つの基地局に付けられるＲＳである場合は、ネットワーク側データノード→目標ＲＳの所属する基地局→目標ＲＳであり、
第三種：ネットワーク側データノード→ＲＳ１の切替の前にアクセスしたＢＳ→ＲＳ１の切替の前にアクセスしたＲＳ→目標ＲＳ或いは目標ＢＳであることをさらに備えてもよい。
【００２１】
さらに、前記方法では、
ステップ（ａ３）において、前記目標ノードは、同一の無線伝送ネットワークグループに所属する場合、以下の方式のうちの１つに従い、前記目標ノードへのデータチャンネルを設立し、
第一種：ネットワーク側データノード→ＲＳ１の位置する基地局→目標ＲＳであり、
第二種：ネットワーク側データノード→ＲＳ１の切替の前にアクセスしたＲＳ→目標ＲＳであることをさらに備えてもよい。
【００２２】
さらに、前記方法では、
ステップ（ａ）において、基地局、或いは代理ノードとしてのＲＳは目標ノードを選択する時に基づく記憶情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、ＲＳ１により計測された隣接セル情報のうちの１種或いは多種を含むことをさらに備えてもよい。
【００２３】
さらに、前記方法では、
ステップ（ｂ）において、接続終止メッセージをＲＳ１に下す前に、ＲＳ１にはデータ伝送がある場合、ＲＳ１の切替前に所属する基地局あるいは所属する伝送サブ網における代理ノードとしてのＲＳ或いはネットワーク側は、ＲＳ１に付けられる、データ伝送がある全部或いは一部のＲＳ及び端末の属性を、目標ノードの所属するＢＳ、或いは所属する伝送サブ網における代理ノードとしてのＲＳへ送信し、これらのＲＳと端末のアクセスの時のために使用され、前記一部のＲＳ及び端末とは、ＲＳ１に付けられる１ジャンプ目のＲＳ及び直接に接続される端末であることをさらに備えてもよい。
【００２４】
さらに、前記方法では、
ＲＳ或いは端末は、予め、可能な隣接基地局或いは隣接ＲＳと同期して、これらの同期情報を記憶し、ステップ（ａ３）において、前記付けられるＲＳ及び端末は、接続更新の指示を受信した後、自身の記憶した隣接基地局及び隣接ＲＳの同期情報から、指示された目標ノードの同期情報を探し出し、目標ノードと同期して無線ネットワーク接続を設立することをさらに備えてもよい。
【００２５】
さらに、前記方法では、
ステップ（ｂ）で送信された接続終止指示には接続終止の時間を含み、基地局とＲＳ１と共に、当該時間に到達した時から、リソースをリリースすることをさらに備えてもよい。
【００２６】
さらに、前記方法では、前記管理ノードは基地局であることをさらに備えてもよい。
【００２７】
さらに、前記方法では、
ＲＳとＲＳとの間のリンクに異常がある場合、以下の方式のうちの１つに従い、接続関係の終止を完了し、
Ａ：基地局とリンクを保つＲＳは、接続終止リクエストを基地局に送信し、リクエストには、接続終止の必要な対向端（the other node）ＲＳ及び終止をリクエストした原因が指示され、基地局は、当該リクエストを受信した後、グループ内の無線ネットワークトポロジー情報を更新し、基地局は管理ノードではない場合、管理ノードにさらに報告する必要があり、管理ノードはグループ内の無線ネットワークトポロジー情報を更新し、
Ｂ：基地局とリンクを保つＲＳは、接続終止リクエストを、所属する伝送サブ網における代理ノードとしてのＲＳに送信し、リクエストには、接続終止の必要な対向端ＲＳ及び終止をリクエストした原因が指示され、代理ノードとしてのＲＳは、当該リクエストを受信した後、伝送サブ網の無線ネットワークトポロジー情報を更新して、管理ノードに報告し、管理ノードは報告を受信した後、グループ内の無線ネットワークトポロジー情報を更新し、
Ｃ：基地局とリンクを保つＲＳは代理ノードである場合、当該ＲＳは、伝送サブ網の無線ネットワークトポロジー情報を更新して、管理ノードに報告し、管理ノードは報告を受信した後、グループ内の無線ネットワークトポロジー情報を更新することをさらに備えてもよい。
【００２８】
さらに、前記方法では、
基地局とＲＳとの間のリンクに異常がある場合、基地局は、当該ＲＳと無線伝送ネットワークとの接続が終止すると認定し、グループ内の無線ネットワークトポロジー情報を直接に更新し、当該ＲＳは、他の基地局或いはＲＳに切り替えるように、付けられる全てのＲＳ及び端末に通知することをさらに備えてもよい。
【００２９】
さらに、前記方法では、
リンク異常を起因として接続を終止したＲＳは、既存の方針に基づき、無線接続ネットワークグループを加入する過程を再起動し、或いは、発信パワーを消し、システムメンテナンスを待つことをさらに備えてもよい。
【００３０】
さらに、前記方法では、
前記無線伝送ネットワークグループにおける管理ノードは、本グループのトポロジー関係情報を記憶し、ステップ（ｂ）で前記管理ノードは接続終止メッセージを下した後、グループ内の無線ネットワークトポロジー情報を更新し、
或いは、前記無線伝送ネットワークグループにおける管理ノードは、本グループのトポロジー関係情報を記憶し、代理ノードは、本伝送サブ網の無線ネットワークトポロジー情報を記憶し、前記ステップ（ｂ）で代理ノードは接続終止メッセージを下した後、本伝送サブ網の無線ネットワークトポロジー情報を更新して、管理ノードに報告し、管理ノードは、報告を受信した後、グループ内の無線ネットワークトポロジー情報を更新することをさらに備えてもよい。
【発明の効果】
【００３１】
本発明に係る方法によれば、無線通信システムにおいて、無線中継局の長所を十分利用してカバーとスループットを向上させると共に、トポロジー関係の設立と更新により、無線中継局と基地局とのトポロジー関係やリソース配置などに対するインテリジェントな調整を行い、無線伝送ネットワークのサービス品質及びリソース利用効率を効率的に向上させることができる。
【図面の簡単な説明】
【００３２】
【図１】本発明の無線中継通信システムのネットワーク構築図
【図２】本発明の無線伝送ネットワークの自適応管理方法
【図３】本発明の無線伝送ネットワークの他の自適応管理方法
【図４】本発明の無線伝送ネットワークの他の自適応管理方法
【図５】本発明の無線伝送ネットワークの他の自適応管理方法
【図６】本発明のＲＳが無線伝送ネットワークグループに加入する方法
【図７】本発明のＲＳが無線伝送ネットワークグループに加入する他の方法
【図８】本発明のＲＳが無線伝送ネットワークグループに加入する他の方法
【図９】本発明のＲＳが無線伝送ネットワークグループに加入する他の方法
【図１０】本発明のＲＳが無線伝送ネットワークグループに加入する他の方法
【図１１】本発明のＲＳの接続関係終止の方法
【図１２】本発明のＲＳの接続関係終止の他の方法
【発明を実施するための形態】
【００３３】
以下は、図面と具体的な方案を合わせて、本発明について詳しく説明する。
【００３４】
本方案の無線中継のインテリジェントな構築が適用する無線通信システムは図１に示すように、以下のいくつかの部分を含む。
【００３５】
１）少なくとも１つの基地局：当該基地局は、同期信号と制御情報を送信し、端末と中継局のアクセスと制御に利用され、基地局は、端末と通信を直接に行ってもよく、中継局により端末と通信を行ってもよい。
２）少なくとも１つの第１ジャンプ中継局（ＲＳ）：当該中継局は、１つの基地局に直接にアクセスし、基地局と無線中継局は同期信号と制御情報を送信し、端末と他の中継局のアクセスと制御に利用される。
３）中継局により基地局と通信を行う少なくとも１つの端末。
４）複数のジャンプの中継局を含むことが可能である。
５）基地局と通信を直接に行う端末を１つ含むことが可能である。
【００３６】
図１に示すように、基地局毎は１つ或いは複数の無線中継局を付けることが可能であり、無線中継局毎も必要に応じて無線中継局をさらに付けることが可能であり、即ちＢＳ→ＲＳ→ＲＳであり、例えば、図１におけるＲＳ２１は、２ジャンプ目の無線中継局である。ネットワークカバーを高めるためのＲＳ例えばＲＳ１もあれば、スループットを高めるＲＳ例えばＲＳ２もある。端末は、複数の基地局や無線中継局の信号を同時に受信することができる。
【００３７】
したがって、本発明において、ＢＳ及びそれに所属するＲＳ（即ち、当該ＢＳに直接或いは間接的にアクセスするＲＳ）からなるグループを１つの無線伝送ネットワークグループという。１つの基地局には、１つの無線伝送ネットワークグループのみがあり、異なる基地局は、異なる無線伝送ネットワークグループに所属する。
【００３８】
以下、本発明の無線伝送ネットワークの自適応管理方法の具体的な実施形態について説明する。
【００３９】
第１の方案
本方案において、図２に示すように、以下のステップを含む。
【００４０】
ステップ１１：無線伝送ネットワークグループにおける管理ノードは、本グループの無線ネットワークトポロジー情報構成を設立し、本方案における無線ネットワークトポロジー情報構成は、無線伝送ネットワークグループにおける無線リンクの２つの端ノード情報を含み、端ノードは、基地局標記（ＢＳＩＤ）と無線中継局標記（ＲＳＩＤ）で示すことができる。
【００４１】
前記情報は、１つの基本関係マトリックスで説明することができ、当該マトリックスにおいて、当該無線伝送ネットワークグループにおけるいずれかの２つのノードの接続関係が説明され、接続があるかどうかの情報を含み、接続がある場合にはジャンプ数の情報をさらに含む。
【００４２】
図１を例として、左の基地局の位置する無線伝送ネットワークグループの関係マトリックスは以下のようである。
【００４３】
【表１】
2010524367.tif 000003
【００４４】
同じように、図１の右の基地局の位置する無線伝送ネットワークグループの関係マトリックスは以下のようである。
【００４５】
【表２】
2010524367.tif 000004
【００４６】
ここで、１行目と１列目とは本無線伝送ネットワークグループ内における全てのノードの番号である。「０」は、これらの２つのノードの間に無線リンクは存在しないことを示す。「１」は、これらの２つのノードの間に直接な無線リンクが存在することを示し、２行目３列目の値「１」を例として、これは、ＲＳ１とＢＳとの間に直接な無線接続が存在することを示す。「２」は、これらの２つのノードの間に２つの無線リンクで接続されていることを示す。２行目５列目の値「２」を例として、これは、ＲＳ２１とＢＳとの間に２つの無線リンクで接続されていることを示し、即ち、ＲＳ２１は１つの無線中継により基地局ＢＳと接することである。
【００４７】
従って、当該関係マトリックスにおいて、「１」は１つの無線リンクに対応し、それに対応する１行目と１列目におけるノードは当該無線リンクの２つの端ノードである。また、当該関係マトリックスから、２つのノードの間のジャンプ数情報を直接に取得することができる。
【００４８】
管理機能を備えるノードの設置には、いくつかの選択可能な方式がある。
【００４９】
第一種：集中制御の方式を利用し、一般的には、基地局を唯一の管理ノードとして、本グループの無線ネットワークトポロジー情報構成を設立し、情報の更新と伝送を行う。しかし、特別な状況において、あるＲＳを管理ノードとして指定する可能性もある。
第二種：分布式制御の方式を利用し、基地局は管理ノードとして、本グループの無線ネットワークトポロジー情報構成を設立し、情報の更新と伝送を行う。また、無線中継局が代理ノードとして自身に所属する無線伝送サブ網を管理することができ、無線伝送サブ網のノードは、代理ノード、及び当該代理ノードによりＢＳにアクセスする１つ或いは複数のＲＳを含み、例えば、左側のＲＳ２は、代理ノードとしてＲＳ２１を管理することができる。
【００５０】
代理ノードは、本サブ網の無線ネットワークトポロジー情報構成を設立し、サブ網内における当該情報の更新と伝送を行うとともに、本サブ網の無線ネットワークトポロジー情報を基地局に伝送し、基地局により無線伝送ネットワークグループ全体の更新を行う必要がある。
【００５１】
この場合、代理ノードであるＲＳの設立したサブ網の無線ネットワークトポロジー情報構成は、基地局の設立した前記構成とは基本的に同じであり、即ち、無線伝送サブ網における無線リンクの２つの端ノードの情報を含み、さらに、２つのノードの間のジャンプ数情報を含んでもよい。当該構成は、前記基本関係マトリックスと同じ方式で説明することができる。
【００５２】
例えば、ＲＳ１は、ＲＳ１１中継局が付けられるノードとして、このような関係マトリックスを自力で管理することができる。
【００５３】
【表３】
2010524367.tif 000005
【００５４】
当該基本関係マトリックスにおける情報の解読は既に前文に説明され、説明は省略する。
【００５５】
ステップ１２：管理ノードは、無線伝送ネットワークグループのネットワークトポロジー関係に変更がある時、本グループの無線ネットワークトポロジー情報を更新し、新たなＲＳの加入、既存のＲＳの切替、既存のＲＳの接続終止などの状況（ＲＳの切替と終止は管理ノードにより自発で発してもよく、ＲＳにより自発で発してもよい）は、無線伝送ネットワークグループのネットワークトポロジー関係の変更を起こすことが可能である。これらの過程は、一般的には管理ノードの参加が必要であるので、管理ノードは、対応するシグナリングに基づき、ネットワークトポロジー関係の変更状況を獲得することができる。これらの変更は、代理ノードの管理する無線伝送サブ網において完成されたものである場合、代理ノードは、本無線伝送サブ網の更新後のトポロジー関係を管理ノードに報告すべきであり、従って、管理ノードは無線伝送ネットワークグループにおける元の無線ネットワークトポロジー情報を更新することができる。
【００５６】
ステップ１３：管理ノードは、本グループの無線ネットワークトポロジー情報及び対応する方針により、それに所属するＲＳ或いはＭＳに対して管理を行う。
【００５７】
１つの例として、ＲＳ或いは端末はグループ内の１つのＲＳから他の１つのＲＳに切り替えることをリクエストする時に、基地局は、ネットワークトポロジー関係に基づき、切り替え先となる目標ＲＳのジャンプ数を判断することができ、所定のジャンプ数閾値を超えると、例えば２ジャンプ、このリクエストを拒否し、或いはこれのために他の１つの目標ノードを選択することができる。これは、アクセスした後に時延が過大になることを防ぐことができる。しかし、本発明は、このような管理の具体的な方式に限られるものではなく、実際上、配置やスケジューリング、切替などの管理上にはいくつの応用ができる。
【００５８】
第２の方案
本方案において、図３に示すように、無線伝送ネットワークの自適応管理方法は以下のステップを含む。
【００５９】
ステップ２０：無線伝送ネットワークグループにおける管理ノードは、本グループの無線ネットワークトポロジー情報構成を設立し、
【００６０】
ステップ２１：管理ノードは、無線伝送ネットワークグループのネットワークトポロジー関係に変更がある時、本グループの無線ネットワークトポロジー情報を更新し、前記の２つのステップは第１の方案と同じである。
【００６１】
ステップ２２：管理ノードは、本グループの無線ネットワークトポロジー情報を、本グループのＲＳ及び/或いは本グループのカバーする範囲内のＭＳに伝送し、
【００６２】
本方案において、管理ノードは、本グループの無線ネットワークトポロジー情報を本グループの全てのＲＳに伝送するが、他の場合は、これらの一部のＲＳ、例えば、代理ノードであるＲＳ或いは１ジャンプ目のＲＳのみに伝送してもよい。
【００６３】
無線トポロジー関係テーブルの伝送は、以下のいくつの方式が可能である。
【００６４】
Ａ：従来のダウンリンクデータ指示メッセージにおいて１種の配置指示情報ユニットを増え、たとえば無線ネットワークトポロジー情報や無線リンク状況情報などの無線ネットワーク配置情報データの位置、サイズなどの情報を指示することに利用される。
Ｂ：配置指示メッセージを直接に使用し、無線ネットワークトポロジー情報や無線リンク状況情報などの配置情報を運ぶ。これらの配置情報は、ブロードキャストの方式で伝送ネットワークグループ内の各ノードに発信することができる。伝送ネットワークグループ内の各ノードは、無線ネットワークの配置情報を自発的にリクエストしてもよい。
【００６５】
代理ノードであるＲＳは、位置する無線伝送サブ網の無線ネットワークトポロジー情報構成を設立することもできる。従って、本発明では、ＲＳにおいては、無線伝送ネットワークグループ全体のトポロジー情報を有することが可能であり、位置する無線伝送サブ網のトポロジー情報を有することも可能であり、いずれのトポロジー情報も有していないことも可能である。
【００６６】
情報を伝送する時に、管理ノードは、ＲＳとＭＳがより多い無線伝送ネットワーク情報を獲得するように、本グループの無線ネットワークトポロジー情報をブロードキャストチャンネルでブロードキャストすることもできる。無線伝送ネットワークグループ内のノードは、無線リンクトポロジー情報を獲得することを管理ノードに請求することもでき、管理ノードは、請求内容に基づき、対応する無線リンクトポロジー情報を提供する。
【００６７】
ステップ２３：管理ノード、及び無線ネットワークトポロジー情報を獲得したＲＳ及び/或いはＭＳは、無線ネットワークトポロジー情報と対応する方針により、無線伝送ネットワークグループの接続最適化を行う。
【００６８】
１つの例として、ＲＳは、無線伝送ネットワークグループ全体或いはそれに所属する伝送サブ網のネットワークトポロジー情報に基づき、新たなＲＳのアクセスを制御することができ、例えば、２ジャンプ目に位置するＲＳは新たなＲＳのアクセスリクエストを受信する時に、このアクセスを拒否することができる。
【００６９】
もう１つの例として、ＭＳは、ブロードキャストメッセージからネットワークトポロジー情報を獲得することができる場合、当該情報に基づき、切替可能な候補ＲＳのジャンプ数を判断することができる。３ジャンプ目のＲＳである場合、その信号が一番強くてもアクセスせず、２ジャンプ目以上のＲＳ或いはＢＳのうちから、信号の一番強いノードを選択して切替を行う、
【００７０】
同じように、本発明において、このような管理の具体的な方式に限られない。
【００７１】
第１の方案と第２の方案における２つの管理方式を同時に使用することができることは明らかである。即ち、第１の方案において、第２の方案のステッ２２とステップ２３の操作を行うことも可能である。
【００７２】
第３の方案
本方案において、無線ネットワークトポロジー情報を設立、更新する上で、それにおける無線リンクのリンク状況情報に対する検知、記録及び更新を行い、無線リンク状況に基づき、より広い且つ効率的な管理を行う。
【００７３】
本方案は、図４に示すように、以下のステップを含む。
【００７４】
ステップ３０：無線伝送ネットワークグループにおける管理ノードは、本グループの無線ネットワークトポロジー情報構成を設立して、無線リンク状況情報を検知及び記録し、
【００７５】
無線リンク状況情報は、チャンネルキャリア干渉比（Carrier-to-Interference ratio）/キャリアノイズ比（carrier-to-noise ratio）（ＣＩＮＲ）や、無線リンクパケットロスト/パケットエラーレート、無線リンクの処理と伝送遅延、無線リンク毎の実際スループット、無線リンク配置のリソースなどを含むことができ、これらの１つのパラメーター或いは任意の組合を利用してもよく、他のパラメーターを利用してもよい。
【００７６】
無線リンク状況情報は、以下の２つの方式で獲得することができる。
【００７７】
１）サービス信号に対する検知結果に基づき取得し、管理ノード（普通は基地局である）に直接に接続された無線リンクに対し、管理ノードは、アップリンク状況の関係パラメーターを検知して、ダウンリンク状況の関係パラメーターを報告するように対向の端ノードに要求する（定期報告或いは事件トリガー報告などの方式を利用することができる）ことができ、他のノードの間のリンク状況に対し、これらの１ジャンプ上のノードにより同じ方法で獲得して管理ノードに報告する。
２）検知信号に対する計測結果に基づき獲得し、管理ノード（普通は基地局である）により、１回或いは１連のテスト信号を外部に送信するように、トポロジーにおけるある１つ或いは複数のノードを指定するとともに、テストを合わせてテスト結果を、信号を送信したノードに返信し、或いは管理ノードに直接に送信するように、他のノードに指示する。信号を送信したノード或いは管理ノードは、検知結果に基づき、関係無線リンクの状況情報を獲得し、信号を送信したノードは管理ノードではない場合、更新された無線リンク状況情報を管理ノードに報告する必要がある。
【００７８】
この場合は、複数の検知の方式が可能であり、例えば、新たなＲＳの初期アクセスの後に、管理ノードにより、テスト信号を送信するように当該ＲＳを指定し、テストを合わせてテスト結果（例えば、ＲＳの信号受信強度やＳＮＲなどをテストする）を基地局に返信するように他のＲＳに指示し、管理ノードは、関係リンクの状況を分析して獲得して、トポロジー関係及びこれらの無線リンクの状況に基づき、当該ＲＳのアクセスノードに対する調整が必要であるかどうかを判断することができる。
【００７９】
もう１つの可能な方式は、ネットワークには比較的に余裕である時に、管理ノードは、基地局と、ＲＳがアクセスされている全てのＲＳとを選んで、前記テスト信号を送信し、テストを合わせてテスト結果を返信するように、トポロジー関係における対向の端ノードを指定する。これにより、トポロジーにおける無線リンク毎の状況をテストすることが確保できる。管理ノードは、テスト結果に基づき、無線伝送ネットワークグループにおける無線リンク状況情報を分析して更新し、現在の無線ネットワークトポロジー情報と新たな無線リンク状況情報に基づき、無線伝送ネットワーク接続関係の調整を行う。
【００８０】
ステップ３１：管理ノードは、無線伝送ネットワークグループのネットワークトポロジー関係に変更がある時、本グループの無線ネットワークトポロジー情報を更新し、また、無線伝送ネットワークグループ内の無線リンク状況情報の変更を検知した時に、元の無線リンク状況情報を更新し、ネットワークトポロジー関係の更新と無線リンクの状況情報の更新過程とは、互いに独立してもよい。無線リンク状況情報の更新は同様に、前文における２つの方式を元にしてもよく、即ち、サービス信号に対する検知結果に基づき、無線リンク状況情報を獲得した後に更新を行い、或いは、検知信号に対する計測結果に基づき、無線リンク状況情報を獲得した後に更新を行う。
【００８１】
ステップ３２：管理ノードは、本グループの無線ネットワークトポロジー情報と無線リンク状況情報と対応する方針とを利用して、それに所属するＲＳと/或いはＭＳに対して管理を行う。
【００８２】
本方案では、管理ノードは無線リンク状況情報を取得したので、より適切な且つインテリな管理を行うことができる。以下はいくつかの例を挙げて説明する。
【００８３】
基地局は、１回の検知を行う後に、１ジャンプ目のあるＲＳにはサービスが過忙であることを発見する時に、その下の２ジャンプ目のＲＳを他の１つの１ジャンプ目のＲＳに切り替えることを指示することができ、即ち、負担のバランスの操作を自適応に行うことができる。
【００８４】
ＲＳは１ジャンプ目のあるＲＳに初期アクセスする時に、一般的には、信号強度の一番強いＲＳを選択してアクセスするが、このときに、基地局は、当該１ジャンプ目のＲＳと基地局との間のリンク状況が非常に悪いこと、例えば過忙であることを発見すると、当該ＲＳを他のＲＳに切り替えさせることができ、そのＲＳは、信号が一番強いわけでもないかもしれないが、経路全体におけるリンクの品質はもっとよい。
【００８５】
１つのＲＳは切替が必要である時に、基地局、あるいは代理ノードであるＲＳは、無線ネットワークトポロジー情報と無線リンク状況情報とに基づき、経路上の複数の無線リンク状況に基づき重み演算を行い、ＲＳのためにサービス品質（ＱｏＳ）の一番よい目標ノードを選択する。
【００８６】
第４の方案
本方案において、図５に示すように、無線伝送ネットワークの自適応管理方法は以下のステップを含む。
【００８７】
ステップ４０：無線伝送ネットワークグループにおける管理ノードは、本グループの無線ネットワークトポロジー情報構成を設立して、無線リンク状況情報を検知及び記録し、
【００８８】
ステップ４１：管理ノードは、無線伝送ネットワークグループのネットワークトポロジー関係に変更がある時、本グループの無線ネットワークトポロジー情報を更新し、また、無線伝送ネットワークグループ内の無線リンク状況情報の変更を検知した時に、元の無線リンク状況情報を更新し、
【００８９】
前記２つのステップは第３の方案と同じである。
【００９０】
ステップ４２：管理ノードは、本グループの無線ネットワークトポロジー情報と無線リンク状況情報を、本グループのＲＳ及び/或いは本グループのカバー範囲におけるＭＳに伝送する。
【００９１】
管理ノードは、本グループの無線ネットワークトポロジー情報及び無線リンク状況情報を本グループの全てのＲＳに伝送してもよく、これらの一部のＲＳ、例えば１ジャンプ目のＲＳ、或いはＲＳがアクセスされているＲＳのみに伝送してもよい。管理ノードは、本グループの無線ネットワークトポロジー情報及び無線リンク状況情報をブロードキャストチャンネルでブロードキャストしてもよく、ＭＳは、アクセスする前にこれらの情報を受信することができる。また、無線伝送ネットワークグループ内のノードは、無線リンク状況情報を獲得することを管理ノードに請求することもでき、管理ノードは、請求内容に基づき、対応する無線リンク状況情報を提供する。
【００９２】
ステップ４３：無線ネットワークトポロジー情報と無線リンク状況情報を獲得したＲＳ及び/或いはＭＳは、無線ネットワークトポロジー情報と無線リンク状況情報と対応する方針とを利用して、無線伝送ネットワークグループの連続最適化を行う。
【００９３】
ここで、ＲＳは新たなＲＳ或いはＭＳのアクセスを制御する時に、ジャンプ数のほかに、関係の無線リンク状況を考慮要素としてもよい。これにより、制御をより適切に行うことができ、第３の方案を参考してもよい。無線リンクの更新も同じであり、ジャンプ数と無線リンク状況を同時に考えて目標ノードを選択することができる。
【００９４】
第３の方案と第４の方案における２つの管理方式を同時に使用することができることは明らかである。即ち、第３の方案において、第４の方案のステップ４２とステップ４３の操作を行うことも可能である。
【００９５】
また、前記いずれかの方案においても、隣接の無線伝送ネットワークの管理ノードの間には、それぞれが位置する無線伝送ネットワークグループの無線ネットワークトポロジー情報と無線リンク情報を交互することができ、ＲＳの切替のプロセスに隣接セルのノードを検知する場合、基地局は、当該隣接セルのノードの位置する無線伝送ネットワークグループのトポロジー情報と無線リンク状況情報に基づき、目標ノードとして、サービス品質要求を満たすノードをより確実に選択することができる。
【００９６】
管理ノードの間の交互方式は、以下のいくつの場合が可能である。
【００９７】
１）管理ノードは、本無線伝送ネットワークグループのトポロジー関係（無線リンク状況情報をさらに含むことが可能である）に更新がある時、隣接基地局に自発的に通知する。
２）管理ノードは、隣接セルの管理ノードに対し、当該隣接セルの無線ネットワークトポロジー情報（無線リンク状況情報をさらに含むことが可能である）を提供することを自発的にリクエストする。
【００９８】
管理ノードは、隣接セルの無線ネットワークトポロジー情報と無線リンク状況情報を本グループの全部或いは一部のＲＳにさらに伝送してもよく、これらのＲＳは切替の時に隣接セルの信号を検知する場合にも、目標ノードとして、サービス品質要求を満たすノードをより確実に選択することができる。
【００９９】
以下、本発明の無線中継局ＲＳが伝送ネットワークグループに加入する具体的な実施形態について説明する。
【０１００】
当該過程は、以下のいくつかの方案により実現することができる。
【０１０１】
第１の方案
当該実施例において、デバイスのアクセスの後に、自身の獲得したトポロジー関係情報と無線リンク状況情報に基づき切替を行い、切替の後に、無線伝送ネットワークグループのトポロジー関係の更新を完成し、加入過程を完成する。これは図６に示す。
【０１０２】
ステップ１００：管理ノードは、ブロードキャストメッセージを送信し、当該メッセージには、アップリンクとダウンリンクチャンネル制御情報を含み、さらに、本無線伝送ネットワークグループのトポロジー関係情報と無線リンク状況情報を含み、デバイス（ＲＳ或いはＭＳ）は、受信した後に前記情報を記憶し、ブロードキャストで送信されたこれらのチャンネル制御情報において、基地局は、中継局に送信する制御情報と、端末に送信する制御情報とを分けて説明することができる。一方、トポロジー関係情報と無線リンク状況情報は、従来のブロードキャストメッセージ、例えばＩＥＥＥ８０２．１６エアーインタフェースプロトコルにおけるＤＣＤメッセージにおいて、新たなメッセージフィールドを増えて付けてもよく、新たなブロードキャストメッセージ、例えば無線トポロジーブロードキャストメッセージで当該情報を付けてもよい。
【０１０３】
ステップ１１０：あるＢＳの所属範囲に新たに入ったデバイスは、ＢＳ或いはＲＳの信号をスキャンし、それと同期化した後に、アップリンクとダウンリンクチャンネル制御情報を受信し、前記ＢＳの所属範囲は、グループ内のＲＳにより広げられるカバー範囲を含む。
【０１０４】
ステップ１２０：前記デバイスは、受信された制御情報に基づき、アクセス過程を起動し、アクセスが成功した後、ＢＳとサービス接続を設立し、新たに加入したデバイスは、ＢＳに直接にアクセス可能性があれば、１つあるいは複数の中継のＲＳによりアクセスを完成する可能性もある。以下のいくつかの方案はこれと同じである。
【０１０５】
ステップ１３０：前記デバイスはアクセスした後に、本無線伝送ネットワークグループの情報（無線ネットワークトポロジー情報、或いは無線ネットワークトポロジー情報と無線リンク状況情報を含む）、及び隣接セル情報（隣接セルの無線伝送ネットワークグループのトポロジー関係情報と無線リンク状況情報を含むことができ、オプショナル）に基づき、切替が必要であるかどうかを判断する。切替が必要である場合、ステップ１４０を行い、切替が必要ではない場合、ステップ１６０を行い、ここで、方針とは、例えば、ジャンプ数は２ジャンプ及び２ジャンプ以下のノードから、無線リンク品質の一番よいノードを目標ノードとして選択することであってもよく、前記無線リンク品質の一番よいこととは、基地局への経路上の複数の無線リンクに対して重み（weighted）平均を行う結果であってもよい。
【０１０６】
ステップ１４０：前記デバイスは、目標ノードを選択し、基地局にリンク更新リクエストを送信し、当該リンク更新リクエストには、目標ノード標記及び無線状況が運ばれ、基地局は受信した後、本グループの無線伝送トポロジー情報と無線リンク状況情報と隣接セル情報（隣接セルの無線伝送ネットワークグループの無線ネットワークトポロジー情報及び/或いは無線リンク状況情報を含むことができ、オプショナル）及び対応する方針に基づき、リンク更新リクエスト応答をフィードバックし、どの目標基地局或いは中継局に切り替えるかをデバイスに指示し、前記デバイスは、目標ＢＳ或いはＲＳに再アクセスし、アクセスが成功した後、サービス接続を設立し、ステップ１５０を行い、アクセスが失敗した場合、ステップ１６０を行い、ここでの目標ＢＳ或いはＲＳは、初期アクセスと同じ無線伝送ネットワークグループである可能性があれば、他の１つの無線伝送ネットワークグループのＢＳ或いはＲＳである可能性もある。
【０１０７】
ステップ１５０：前記デバイスの再アクセス先の無線伝送ネットワークグループの管理ノードは、自身の位置する伝送グループの無線ネットワークトポロジー情報を更新し、加入過程を完成する。
【０１０８】
ステップ１６０：前記デバイスの初期アクセス先の無線伝送ネットワークグループの管理ノードは、自身の所属する伝送グループの無線ネットワークトポロジー情報を更新し、加入過程を完成する。
【０１０９】
ステップ１５０と１６０の具体的な過程は、さらに、以下のいくつかの場合に分けられる。
【０１１０】
アクセスしたのはＲＳであり、且つ当該ＲＳは代理ノードである場合、当該代理ノードは、それに所属するサブ網の無線ネットワークトポロジー情報を更新して管理ノードに報告すべきであり、管理ノードは、所属する無線伝送ネットワークグループの無線ネットワークトポロジー情報を更新し、アクセスしたのはＲＳであり、且つ当該ＲＳは代理ノードではない場合、当該ＲＳは、管理ノードに直接に報告し、管理ノードは、所属する無線伝送ネットワークグループの無線ネットワークトポロジー情報を更新し、アクセスしたのはＢＳであり、且つ当該ＢＳは管理ノードである場合、当該ＢＳは、位置する伝送グループの無線ネットワークトポロジー情報の更新を直接に完成することができる。
【０１１１】
アクセスしたのはＢＳであり、且つ当該ＢＳは管理ノードではない場合、当該ＢＳは、管理ノードに報告し、管理ノードは、位置する無線伝送ネットワークグループの無線ネットワークトポロジー情報を更新する。
【０１１２】
他の方案においても前記のいくつかの方式も存在する。
【０１１３】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１１４】
第２の方案
当該実施例において、デバイスはアクセスした後に、アクセスされた無線伝送ネットワークグループの管理ノードにより、ネットワークトポロジー情報と無線リンク状況情報に基づき、当該デバイスには切替の必要があるかどうかを判断し、切替の必要がある場合、切替の後に、ネットワークトポロジー情報の更新を行い、加入過程を完成する。これは図７に示す。
【０１１５】
ステップ２００：あるＢＳの範囲に新たに入ったデバイスは、ＢＳ或いはＲＳの信号をスキャンし、それと同期化した後に、アップリンクとダウンリンクチャンネル制御情報を受信する。
【０１１６】
ステップ２１０：前記デバイスは、受信された制御情報に基づき、アクセス過程を起動し、アクセスが成功した後、ＢＳとサービス接続を設立する。
【０１１７】
ステップ２２０：アクセスした無線伝送ネットワークグループの管理ノードは、記憶された本無線伝送ネットワークグループの情報（無線ネットワークトポロジー情報、或いは無線ネットワークトポロジー情報と無線リンク状況情報を含む）、隣接セル情報（オプショナル）及び設定された対応する方針に基づき、当該デバイスには切替が必要であるかどうかを判断する。切替が必要である場合、ステップ２３０を行い、そうでなければ、ステップ２６０を行い、基地局は管理ノードではない場合、当該デバイスのアクセスしたノードを管理ノードに通知する必要がある。
【０１１８】
ステップ２３０：当該管理ノードは、前記デバイスの切替先となる目標ＢＳ或いはＲＳを確定して、目標ノードに切り替えるように前記デバイスに通知する。
【０１１９】
ステップ２４０：前記デバイスは目標ＢＳ或いはＲＳに再アクセスし、アクセスが成功した場合、ステップ２５０を行い、アクセスが失敗した場合、ステップ２６０を行う。
【０１２０】
ステップ２５０：前記デバイスはサービス接続を設立し、再アクセス先の無線伝送ネットワークグループの管理ノードは、自身の所属する無線伝送ネットワークグループの無線ネットワークトポロジー情報を更新し、加入過程を完成する。
【０１２１】
ステップ２６０：前記デバイスの初期アクセス先の無線伝送ネットワークグループの管理ノードは、自身の所属する伝送グループの無線ネットワークトポロジー情報を更新し、加入過程を完成する。
【０１２２】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１２３】
第３の方案
当該実施例において、デバイスはアクセスした後に、アクセスされた無線伝送ネットワークグループのＲＳにより、ネットワークトポロジー情報と無線リンク状況情報に基づき、当該デバイスには切替の必要があるかどうかを判断し、切替の必要がある場合、切替を完成した後に、ネットワークトポロジー情報を更新し、加入過程を完成する。これは図８に示す。
【０１２４】
この前提としては、管理ノードが無線伝送ネットワークグループ全体のトポロジー関係情報と無線リンク状況情報を、アクセスしたＲＳに送信し、即ち、ＲＳには当該情報が記憶されている。或いは、当該ＲＳは、所属する伝送サブ網のトポロジー関係情報と無線リンク状況情報を記憶している。
【０１２５】
ステップ３００：あるＢＳの範囲に新たに入ったデバイスは、ＲＳの信号をスキャンし、それと同期化した後に、アップリンクとダウンリンクチャンネル制御情報を受信し、
【０１２６】
ステップ３１０：前記デバイスは、受信された制御情報に基づき、アクセス過程を起動し、アクセスが成功した後、前記ＲＳによりＢＳとサービス接続を設立する。
【０１２７】
ステップ３２０：前記デバイスのアクセスしたＲＳは、記憶された情報（無線ネットワークトポロジー情報、或いは無線ネットワークトポロジー情報と無線リンク状況情報、或いは本伝送サブ網の無線ネットワークトポロジー情報、或いは本伝送サブ網の無線ネットワークトポロジー情報と無線リンク状況情報を含む）、隣接セル情報（オプショナル）及び設定された対応する方針に基づき、当該デバイスには切替が必要であるかどうかを判断する。切替が必要である場合、ステップ３３０を行い、そうでなければ、ステップ３６０を行い、前記ステップにおけるトポロジー関係情報と無線リンク状況情報は、伝送ネットワークグループ全体のものであってもよく、所属のサブ網のものであってもよい。
【０１２８】
ステップ３３０：当該ＲＳは、前記デバイスの切替先となる目標ＢＳ或いはＲＳを確定して、目標ノードに切替るように前記デバイスに通知する。
【０１２９】
ステップ３４０：前記デバイスは目標ＢＳ或いはＲＳに再アクセスし、アクセスが成功した場合、サービス接続を設立し、ステップ３５０を行い、アクセスが失敗した場合、ステップ３６０を行う。
【０１３０】
ステップ３５０：前記デバイスの再アクセス先の無線伝送ネットワークグループの管理ノードは、自身の所属する伝送グループの無線ネットワークトポロジー情報を更新し、加入過程を完成する。
【０１３１】
ステップ３６０：前記デバイスの初期アクセス先の無線伝送ネットワークグループの管理ノードは、自身の所属する伝送グループの無線ネットワークトポロジー情報を更新し、加入過程を完成する。
【０１３２】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１３３】
同じように、管理ノードには、本無線伝送ネットワークグループのトポロジー関係情報のみが記憶される可能性があり、この場合は、前記フローにおける「無線リンク状況情報」を削除して同じフローを利用すればよい。
【０１３４】
第４の方案
当該実施例において、デバイスはアクセスした後に、アクセスされた無線伝送ネットワークグループの管理ノードにより、ネットワークトポロジー情報と、リアルタイムで検知された無線リンク状況情報に基づき、当該デバイスには切替の必要があるかどうかを判断し、切替の必要がある場合、切替を完成した後に、ネットワークトポロジー情報を更新し、加入過程を完成する。これは図９に示す。
【０１３５】
ステップ４００：あるＢＳの範囲に新たに入ったデバイスは、ＢＳ或いはＲＳの信号をスキャンし、それと同期化した後に、アップリンクとダウンリンクチャンネル制御情報を受信し、
【０１３６】
ステップ４１０：前記デバイスは、受信された制御情報に基づき、アクセス過程を起動し、アクセスが成功した後、ＢＳとサービス接続を設立する。
【０１３７】
ステップ４２０：前記デバイスのアクセスした無線伝送ネットワークグループの管理ノードは、テストを始めるように新たにアクセスしたデバイスに指示するとともに、テストを合わせるように他のノードに指示する。当該デバイスは、１回或いは１連のテスト信号、例えば受信テスト信号を外部に送信し、テスト状況、例えば信号強度やＳＮＲや遅延などをフィードバックし、結果を管理ノードに通知する。管理ノードは、テスト結果に基づき、当該新たにアクセスしたデバイスと隣接するノードとの間の無線リンク状況情報を獲得し、記憶された無線リンク状況情報を更新する。
【０１３８】
ステップ４３０：管理ノードは、本無線伝送ネットワークグループの情報（記憶されたトポロジー関係情報、リアルタイムで検知された無線リンク状況情報を含む）、隣接セル情報（オプショナル）及び設定された対応する方針に基づき、当該デバイスには切替が必要であるかどうかを判断する。切替が必要である場合、ステップ４４０を行い、そうでなければ、ステップ４７０を行う。
【０１３９】
ステップ４４０：管理ノードは、前記デバイスの切替先となる目標ＢＳ或いはＲＳを確定して、目標ノードに切替るように前記デバイスに通知する。
【０１４０】
ステップ４５０：前記デバイスは目標ＢＳ或いはＲＳに再アクセスし、アクセスが成功した場合、サービス接続を設立し、ステップ４６０を行い、アクセスが失敗した場合、ステップ４７０を行う。
【０１４１】
ステップ４６０：前記デバイスの再アクセス先の無線伝送ネットワークグループの管理ノードは、当該デバイスのアクセスしたノードを獲得し、自身の位置する伝送グループの無線ネットワークトポロジー情報を更新し、加入過程を完成する。
【０１４２】
ステップ４７０：前記デバイスの初期アクセス先の無線伝送ネットワークグループの管理ノードは、当該デバイスのアクセスしたノードを獲得し、自身の位置する伝送グループの無線ネットワークトポロジー情報を更新し、加入過程を完成する。
【０１４３】
無線伝送ネットワークグループの管理ノードは、無線ネットワークトポロジー情報と無線リンク状況情報を更新した後、当該情報を他のノードに送信することができる。伝送の前に、テストの後に既に存在していない無線リンクの状況情報を廃棄することができる。
【０１４４】
本実施例は、リアルタイムの検知を行うことにより、切替判定をより確実に行うように、最新の無線リンク状況情報を獲得することができる。
【０１４５】
第５の方案
当該実施例において、デバイスはアクセスした後に、切替判定はせず、無線伝送ネットワークグループのトポロジー情報を直接に更新し、加入を完成する。これは図１０に示す。
【０１４６】
ステップ５００：あるＢＳの範囲に新たに入ったデバイスは、ＢＳ或いは他のＲＳの信号をスキャンし、それと同期化した後に、アップリンクとダウンリンクチャンネル制御情報を受信する。
【０１４７】
ステップ５１０：前記デバイスは、受信された制御情報に基づき、アクセス過程を起動し、アクセスが成功した後、ＢＳとサービス接続を設立する。
【０１４８】
ステップ５２０：管理ノードは、前記デバイスの初期アクセスしたノードを獲得し、自身の位置する伝送グループの無線ネットワークトポロジー情報を更新し、加入過程を完成する。
【０１４９】
無線伝送ネットワークグループの管理ノードは、無線ネットワークトポロジー情報を更新した後、当該情報を他のノードに送信することができる。その後、無線リンク状況情報の更新と送信を行うこともできる。
【０１５０】
以下、本発明の無線中継局とＢＳの接続関係終止の具体的な実施形態について説明する。
【０１５１】
ここで、係る接続関係終止と接続関係更新との区別は、終止後、ＲＳは伝送グループから外れることにあり、切替を行うことではない。当該ＲＳは、ある伝送グループに再加入する場合、伝送グループの加入過程を行う必要がある。同様に、接続が終止する時に、当該ＲＳに他のＲＳ或いは端末が接続されている場合、どのようにサービスを受けさせ続けるか、どのようにサービスの継続性及びデータの完全性をできる限り確保するか、を考える必要がある。
【０１５２】
ある無線中継局ＲＳ１はＢＳと既に接続関係を設立したとする。無線中継局と基地局の接続関係終止は、基地局により発してもよく、無線中継局により発してもよい。
【０１５３】
第１の方案
当該方案では、ＲＳ１の接続関係終止は、基地局により発し、図１１に示すように、以下のステップを含む。
【０１５４】
ステップ８１０：基地局は、現在の状況及び設定された対応する方針に基づき、ある無線中継局ＲＳ１の接続を終止する必要があると判断し、ＲＳ１の接続を終止することは、システム容量からの要求、セキュリティからの要求、メンテナンスからの要求が起因となる可能性がある。
【０１５５】
ステップ８２０：基地局は、ＲＳ１にはデータの伝送があるかどうかを判断し、データの伝送がない場合、ステップ８５０を直接に行い、データの伝送がある場合、次のステップを行う。
【０１５６】
ステップ８３０：基地局は、記憶された情報及び設定された方針に基づき、ＲＳ１に付けられる、データ伝送があるＲＳと端末のために、切替先となる目標ノードを選択し、切替リクエストをこれらの目標ノードへ送信し、目標ノードを選択する時に基づく記憶情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、付けられる端末或いはＲＳにより報告された隣接セル情報のうちの１種或いは多種を含むことができる。また、接続関係終止の判断を行う時に、これらの情報を使用してもよい。
【０１５７】
本実施例では、前記ＲＳ１に付けられる、データ伝送があるＲＳ及び端末は、ＲＳ１に付けられる１ジャンプ目のＲＳ、及びＲＳ１に直接に接続される端末に限定し、１ジャンプ目のＲＳに接続された他のＲＳ及び他の端末に対し、１ジャンプ目のＲＳと共に移動すればよい。勿論、本発明では、このような限定をしなくてもよい。
【０１５８】
ステップ８４０：基地局は、目標ノードの切替許可の応答を獲得した後、対応するＲＳ１に付けられる、データ伝送がある端末及び１ジャンプ目のＲＳのために、これらの目標ノードへのデータチャンネルを設立して、当該データチャンネルで対応するダウンリンクデータを送信すると共に、目標ノードに接続更新するようにこれらの端末及び１ジャンプ目のＲＳを指示する。
【０１５９】
前記付けられる端末とＲＳは、接続更新の指示を受信した後、接続更新を起動し、新たなノードと無線リンクを設立することにより、サービスをこのまま維持することができる。データ伝送のないＲＳ１に付けられる端末とＲＳに対し、接続を直接に終止し、これらの端末とＲＳにより、無線ネットワークに自力的にアクセスする。
【０１６０】
基地局は、目標ノードの切替許可の応答を受信していない場合、データチャンネルの設立を放棄してもよく、他の１つの目標ノードを選択して切替リクエストを再送信してもよい。
【０１６１】
伝送グループを跨るリンク更新について、以下の方式に従い、チャンネルを設立することができる。
【０１６２】
１つ：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳである。
【０１６３】
ここで、無線と有線とが混在するデータチャンネルを設立し、ダウンリンクデータは、ＲＳ１の切替前に位置した基地局から、元のデータチャンネルでＲＳ１に送信されると共に、もう１セットはコピーされ、ＲＳ１の切替先となる目標ノードの所属する基地局に送信される。チャンネルの設立の後、目標ノードは、ＲＳ１にデータを送信し、ＲＳ１が目標ノードにアクセスしてから受信することができる。
【０１６４】
２つ：目標ノードは他の１つの基地局である場合は、ネットワーク側データノード→目標基地局であり、目標ノードは他の１つの基地局に付けられるＲＳである場合は、ネットワーク側データノード→目標ＲＳの所属する基地局→目標ＲＳである。
【０１６５】
このような方式では、ネットワーク側データノードから、ＲＳ１のダウンリンクデータを、目標ノードの所属する基地局に直接送信することであり、元の基地局を経由して転送することではない。
【０１６６】
３つ：ネットワーク側データノード→ＲＳ１の切替の前にアクセスしたＢＳ→ＲＳ１の切替の前にアクセスしたＲＳ→目標ＲＳ或いは目標ＢＳである。
【０１６７】
ＲＳ１がＲＳにアクセスした場合、このような方式では、元のデータチャンネルを利用し、ＲＳ１のアクセスしたＲＳから目標ノードまでのリンクを増え、即ち、無線のデータチャンネルを設立することであり、基地局と基地局の間の有線接続を経由する必要がない。
【０１６８】
本伝送グループのリンク更新について、以下の方式に従い、チャンネルを設立することができる。
【０１６９】
１つ：ネットワーク側データノード→ＲＳ１の位置する基地局→目標ＲＳである。
【０１７０】
即ち、ダウンリンクデータは、基地局により元のデータチャンネルでＲＳ１に送信されると共に、１セットはコピーされ、ＲＳ１の切替先となる目標ＲＳに送信する。
【０１７１】
２つ：ネットワーク側データノード→ＲＳ１の切替の前にアクセスしたＲＳ→目標ＲＳである。
【０１７２】
このような方式でも、元のデータチャンネルを利用して、ソースＲＳから目標ＲＳまでのリンクを新たなデータチャンネルとして増えることである。
【０１７３】
このような方式では、ＲＳ１は、アクセスしたＲＳから本グループのＢＳに切り替える時に、ネットワーク側データノードからＲＳ１の位置する伝送グループのＢＳまでのデータチャンネルは既に存在し、再設立する必要がない。
【０１７４】
また、再アクセス過程を加速させるため、接続更新の前に、ＲＳ１の位置する基地局、或いは所属するサブ網における代理ノードとしてのＲＳ、或いはネットワーク側は、ＲＳ１に付けられる、データ伝送があるＲＳ及び端末の属性（例えば、ＲＳ及び端末の能力、ＲＳ或いは端末の現在の無線リンクの属性など）を、目標ノードの所属するＢＳ、或いは所属する伝送サブ網における代理ノードとしてのＲＳにさらに送信することにより、データ伝送があるこれらの端末及びＲＳはネットワークを再加入する時に、情報の交互を簡単にし、そのアクセス時間を低減させる。これらの情報を伝送するには、切替リクエストメッセージを直接に利用してもよく、新たなメッセージ、例えば中継局/端末属性メッセージなどを利用してもよい。
【０１７５】
同様に、ＲＳ或いは端末は、予め、可能な隣接基地局/ＲＳと同期して、これらの同期情報を記憶することができる。付けられるこれらのＲＳ及び端末は、接続更新の指示を受信した後、指示情報に基づき、自身の記憶した目標基地局/ＲＳ情報を合わせて、目標ノードの同期情報を探し出し、他の隣接基地局/ＲＳと無線ネットワーク接続をできる限り早めに設立する。
【０１７６】
目標ノードに接続更新するように、リンク更新メッセージを利用して、付けられるデータ伝送がある端末及びＲＳを指示することができる。
【０１７７】
ステップ８５０：基地局は、接続終止メッセージをＲＳ１に下し、ある程度の時間を待ってから、ＲＳ１のリソースをリリースして、グループ内の無線ネットワークトポロジー情報を更新し、基地局は、グループ内の無線ネットワークトポロジー情報を更新した後、基地局は管理ノードではない場合、管理ノードに報告する必要があり、管理ノードにより、ローカルの無線ネットワークトポロジー情報を更新する。また、管理ノードは、対応する方針に従い、グループ内の他のノードにこれらの情報を伝送し、対応する無線リンク状況情報の更新を行う。
【０１７８】
ステップ８６０：ＲＳ１は、接続終止指示を受信した後、リソースを自力的にリリースし、無線伝送ネットワークとの接続関係を終止する。
【０１７９】
接続終止指示には接続終止の時間を含むことができ、基地局とＲＳ１と共に、当該時間に到達してから、リソースをリリースすることにより、それに付けられる端末及びＲＳのサービスが中断されることを防ぐ。
【０１８０】
前記フローにおける基地局により完成される機能は、ＲＳ１の所属する伝送サブ網における代理ノードとしてのＲＳにより完成することができ、即ち、前記フローにおけるＢＳを当該代理ノードに切り替えればよい。
【０１８１】
本発明では、ＲＳ１に付けられる端末或いはＲＳに対して対応する処理を行わず、ステップ８１０を行ってから、直接にステップ８５０を行ってもよい。
【０１８２】
第２の方案
この方案では、無線中継局により発するものであり、図１２に示すように、以下のステップを含む。
【０１８３】
ステップ９１０：無線中継局ＲＳ１は、まず、接続終止リクエストを送信する。
【０１８４】
ステップ９２０：基地局は、ＲＳ１の接続を終止できるかどうかを判断し、できる場合、ステップ９３０を行い、そうでなければ、無線中継局のこのリクエストを拒否する。
【０１８５】
ステップ９３０：基地局は、ＲＳ１にはデータ伝送があるかどうかを判断し、伝送がある場合、次のステップを行い、そうでなければ、ステップ９６０を行う。
【０１８６】
ステップ９４０：基地局は、記憶された情報及び設定された対応する方針に基づき、ＲＳ１に付けられる、データ伝送があるＲＳと端末のために、切替先となる目標ノードを選択し、切替リクエストをこれらの目標ノードに送信する。
【０１８７】
ステップ９５０：基地局は、目標ノードの切替許可の応答を獲得した後、対応するＲＳ１に付けられる、データ伝送がある端末及びＲＳのために、これらの目標ノードへのデータチャンネルを設立して、当該データチャンネルで対応するダウンリンクデータを送信してから、目標ノードに接続更新するようにこれらの端末及びＲＳを指示する。
【０１８８】
このステップの具体的な実現は、ステップ８３０における説明を参照することができ、ここで、チャンネル設立、属性伝送、及び予め隣接ノード同期情報の記憶に関する３つの手段について、独立に利用してもよく、任意の組合せを利用してもよく、第１の方案でも同じである。
【０１８９】
ステップ９６０：基地局は、接続終止メッセージをＲＳ１に下し、設定されたある程度の時間を待ってから、ＲＳ１のリソースをリリースして、グループ内の無線ネットワークトポロジー情報を更新する。
【０１９０】
ステップ９７０：ＲＳ１は、接続終止指示を受信した後、リソースを自力的にリリースし、無線伝送ネットワークとの接続関係を終止する。
【０１９１】
同様に、接続終止指示には接続終止の時間を含むことができ、基地局とＲＳ１と共に、当該時間に到達しだ時から、リソースをリリースすることにより、それに付けられる端末及びＲＳのサービスが中断されることを防ぐ。前記フローにおける基地局により完成される機能も、ＲＳ１の所属する伝送サブ網における代理ノードとしてのＲＳにより完成することができる。
【０１９２】
また、場合によって、例えば、サービスの継続性に対する要求は低く或いは要求がない場合、ステップ９２０を行ってから、直接にステップ９６０を行ってもよく、システムの複雑度を低減させる。
【０１９３】
第３の方案
当該方案では、異常状況を起因としての接続関係の終止にあたり、ＢＳとＲＳとの間、ＲＳとＲＳとの間には、無線接続をメンテナンスのメカニズムが必要である。ＢＳ或いはＲＳは、対向端との無線接続の異常終止を検知する場合、接続終止過程を発してもよい。
【０１９４】
以下の幾つかの状況に分けられる。
【０１９５】
１つ：ＲＳとＲＳとの間のリンクには異常がある場合、例えばＲＳ１とＲＳ２との間のリンクにおいて、１つの方向には、ある程度の時間をかけて正確のデータパケットを受信することができない場合、基地局とリンクを保つＲＳ（例えばＲＳ１）は、接続終止リクエストを基地局に送信し、リクエストには、接続終止の必要な対向端ＲＳ（ＲＳ２）及び終止をリクエストした原因、例えば正確のデータパケットを受信することができないことが指示される。
【０１９６】
基地局は、当該リクエストを受信した後、グループ内の無線ネットワークトポロジー情報を更新し、基地局は管理ノードではない場合、管理ノードにさらに報告する必要があり、管理ノードはグループ内の無線ネットワークトポロジー情報を更新する。
【０１９７】
対向端ＲＳ（ＲＳ２）は、既存の方針に基づき、無線接続ネットワークグループへの加入を再起動してもよく、発信パワーを消し、システムメンテナンスを待ってもよい。
【０１９８】
２つ：ＲＳとＲＳとの間のリンクに異常がある場合、例えばＲＳ１とＲＳ２との間のリンクにおいて、１つの方向には、ある程度の時間をかけて正確のデータパケットを受信することができない場合、基地局とリンクを保つＲＳ１は、接続終止リクエストを、所属する伝送サブ網における代理ノードとしてのＲＳに送信し、リクエストには、接続終止の必要な対向端ＲＳ（ＲＳ２）及び終止をリクエストした原因がリンク異常であることが指示される。
【０１９９】
代理ノードとしてのＲＳは、当該リクエストを受信した後、伝送サブ網の無線ネットワークトポロジー情報を更新して、管理ノードに報告する。
【０２００】
管理ノードは報告を受信した後、グループ内の無線ネットワークトポロジー情報を更新する。
【０２０１】
対向端ＲＳ（ＲＳ２）は、既存の方針に基づき、無線接続ネットワークグループへの加入を再起動してもよく、発信パワーを消し、システムメンテナンスを待ってもよい。
【０２０２】
３つ：ＲＳとＲＳとの間のリンクには異常がある場合、基地局とリンクを保つＲＳは代理ノードであり、当該ＲＳは、伝送サブ網の無線ネットワークトポロジー情報を更新して、この異常状況を管理ノードに報告する。
【０２０３】
管理ノードは報告を受信した後、グループ内の無線ネットワークトポロジー情報を更新する。
【０２０４】
対向端ＲＳ（ＲＳ２）は、既存の方針に基づき、無線接続ネットワークグループへの加入を再起動してもよく、発信パワーを消し、システムメンテナンスを待ってもよい。
【０２０５】
４つ：ＢＳとＲＳとの間のリンクには異常がある場合、ＢＳは当該ＲＳと無線伝送ネットワークとの接続が終止すると認定し、ＢＳは、グループ内の無線ネットワークトポロジー情報を直接に更新する。ＲＳは、付けられる全てのＲＳ及び端末に、他のＢＳ或いはＲＳに切り替えるようにに通知すべきである。同時に、当該ＲＳは、既存の方針に基づき、無線接続ネットワークグループへの加入を再起動してもよく、発信パワーを消し、システムメンテナンスを待ってもよい。
【０２０６】
基地局は管理ノードではない場合、管理ノードにさらに報告する必要があり、管理ノードはグループ内の無線ネットワークトポロジー情報を更新する。
【０２０７】
ＲＳとＲＳとの間の無線リンク異常、或いはＢＳとＲＳとの間の無線リンク異常を判断する方法はいくつあり、定時検知でもよく、日常のデータ交互を統計することによるパッシブ検知でもよい。アップリンク或いはダウンリンクにおいて、１つの方向の無線リンクには異常があると、終止措置を取る必要がある。
【図１】
2010524367.tif 000006
【図２】
2010524367.tif 000007
【図３】
2010524367.tif 000008
【図４】
2010524367.tif 000009
【図５】
2010524367.tif 000010
【図６】
2010524367.tif 000011
【図７】
2010524367.tif 000012
【図８】
2010524367.tif 000013
【図９】
2010524367.tif 000014
【図１０】
2010524367.tif 000015
【図１１】
2010524367.tif 000016
【図１２】
2010524367.tif 000017
【国際調査報告】
2010524367.tif 000018
2010524367.tif 000019
2010524367.tif 000020
2010524367.tif 000021